(57)【要約】【課題】読取ガラスなどに付着するゴミの影響を低減したより正確なシェーディングデータを取得することができる読取装置を提供する。【解決手段】読取装置（１２０）は、搬送される原稿の画像を読み取る原稿読み取りユニット１０６、原稿読み取りユニットを副走査方向に向けて移動するＣＩＳ移動用モータ（１１０）を有する。また、原稿読み取りユニットが読み取った原稿の画像データに対してシェーディング補正を行うシェーディング補正回路（４０４）を有する。読取装置（１２０）は、ＣＩＳ移動用モータにより原稿読み取りユニットを副走査方向に向けて移動させながら白基準原稿を読み取ってシェーディング補正のためのシェーディングデータを取得するように制御する。【選択図】図３
2017183962.tif 000002
【特許請求の範囲】
【請求項１】
搬送される原稿の画像を読み取る読取手段と、
前記読取手段を副走査方向に向けて移動する移動手段と、
前記読取手段が読み取った前記原稿の画像データに対してシェーディング補正を行う補正手段と、
前記移動手段により前記読取手段を副走査方向に向けて移動させながら所定の基準原稿を読み取って前記シェーディング補正のためのシェーディングデータを取得するように制御する制御手段と、を有することを特徴とする、
読取装置。
【請求項２】
前記制御手段は、前記原稿の複数箇所それぞれに対応する前記シェーディングデータを取得し、取得したシェーディングデータの中から前記シェーディング補正のためのシェーディングデータを特定することを特徴とする、
請求項１に記載の読取装置。
【請求項３】
前記制御手段は、前記読取手段を副走査方向に向けて移動させながら前記原稿を読み取って得た画像データを平均化し、平均化後の画像データを前記シェーディング補正のためのシェーディングデータとすることを特徴とする、
請求項１又は２に記載の読取装置。
【請求項４】
前記移動手段は、前記原稿の搬送方向と同じ方向、又は、逆の方向に前記読取手段を移動することを特徴とする、
請求項１、２又は３に記載の読取装置。
【請求項５】
前記読取手段を、前記搬送される原稿を基準に対向して配備された第１及び第２の読取手段として構成し、
前記移動手段を、前記第１の読取手段を副走査方向に向けて移動する第１の移動手段、前記第２の読取手段を副走査方向に向けて移動する第２の移動手段として構成し、
前記補正手段を、前記第１の読取手段が読み取った前記原稿の画像データに対してシェーディング補正を行う第１の補正手段、前記第２の読取手段が読み取った前記原稿の画像データに対してシェーディング補正を行う第２の補正手段として構成し、
制御手段は、前記第１又は第２の読取手段の少なくとも一方を副走査方向に向けて移動させながら前記原稿を読み取って前記シェーディング補正のためのシェーディングデータを取得するように制御することを特徴とする、
請求項１乃至４いずれか一項に記載の読取装置。
【請求項６】
前記シェーディングデータを保持する保持手段を有することを特徴とする、
請求項１乃至５いずれか一項に記載の読取装置。
【請求項７】
前記原稿を搬送する搬送手段を有し、
前記制御手段は、前記搬送手段が搬送する前記所定の基準原稿を読み取って前記シェーディング補正のためのシェーディングデータを取得することを特徴とする、
請求項１乃至６いずれか一項に記載の読取装置。
【請求項８】
原稿画像を読み取る読取装置を有する画像形成装置であって、
前記読取装置は、
搬送される原稿の画像を読み取る読取手段と、
前記読取手段を副走査方向に向けて移動する移動手段と、
前記読取手段が読み取った前記原稿の画像データに対してシェーディング補正を行う補正手段と、
前記移動手段により前記読取手段を副走査方向に向けて移動させながら前記原稿を読み取って前記シェーディング補正のためのシェーディングデータを取得するように制御する制御手段と、を有することを特徴とする、
画像形成装置。
【発明の詳細な説明】
【技術分野】
【０００１】
本発明は、原稿に記録された画像情報を読み取る読取装置の技術に関する。
【背景技術】
【０００２】
例えば、原稿の画像を読み取る読取装置では、読取手段に含まれる光学系や発光素子、撮像素子の特性ばらつきなどによる読み取りムラを補正するため、一般的に白色の基準原稿や白色基準板等を読み取ってシェーディング補正を行っている。
また、複写機等に使用される読取装置には、原稿を１ページずつ原稿台ガラス上に搬送し、その搬送路に固定された読取手段により原稿の画像が読み取る、いわゆる「流し読み」を行うものが知られている。
【０００３】
このような流し読みを行う読取装置のシェーディング補正方法に関して、特許文献１では、原稿が搬送される経路中において当該原稿を読み取りシェーディング補正用の補正値を取得する、という技術が開示されている。
【先行技術文献】
【特許文献】
【０００４】
【特許文献１】特開２００４−２０７７９０号公報
【発明の概要】
【発明が解決しようとする課題】
【０００５】
しかしながら、例えば使用者の手元にあった原稿の輝度レベルに基づいてシェーディングデータを取得するときに原稿と読取ガラスの間にゴミなどが付着している場合にはゴミの影響により正常なシェーディングデータを取得することができない、という課題が残る。
【０００６】
本発明は、読取ガラスなどに付着するゴミの影響を低減したより正確なシェーディングデータを取得することができる読取装置を提供することを、主たる課題とする。
【課題を解決するための手段】
【０００７】
本発明の読取装置は、搬送される原稿の画像を読み取る読取手段と、前記読取手段を副走査方向に向けて移動する移動手段と、前記読取手段が読み取った前記原稿の画像データに対してシェーディング補正を行う補正手段と、前記移動手段により前記読取手段を副走査方向に向けて移動させながら所定の基準原稿を読み取って前記シェーディング補正のためのシェーディングデータを取得するように制御する制御手段と、を有することを特徴とする。
【発明の効果】
【０００８】
本発明によれば、読取手段を副走査方向に移動させながらシェーディングデータを取得することにより、読取ガラスなどに付着するゴミの影響を低減したより正確なシェーディングデータを取得することができる。
【図面の簡単な説明】
【０００９】
【図１】第１実施形態に係る読取装置の構成の一例を示す概略縦断面図。
【図２】読取装置の機能構成の一例を示すブロック図。
【図３】（ａ）、（ｂ）は、原稿を使用しシェーディングデータを取得する際の原稿読み取りユニット動作を説明するための図。
【図４】シェーディングデータを取得する際の処理手順の一例を示すフローチャート。
【図５】第２実施形態に係る読取装置の原稿読み取りユニットの動作を説明するための図。
【図６】原稿の複数箇所それぞれにおいてシェーディングデータを取得する際の処理手順の一例を示すフローチャート。
【図７】読取装置が有する原稿読み取りユニットを図１とは異なる箇所に配置した場合の一例を示す概略縦断面。
【図８】２つの原稿読み取りユニットが配備された読取装置の一例を示す概略縦断面図。
【図９】図８に示す読取装置の機能構成の一例を示すブロック図。
【発明を実施するための形態】
【００１０】
以下、本発明の実施の形態を図面を参照しながら詳細に説明する。また、本発明を原稿画像を読み取る読取装置に適用した場合を例に挙げて説明する。なお、この読取装置は画像形成装置に接続可能に構成される。
【００１１】
［第１実施形態］
図１は、本実施形態に係る読取装置の構成の一例を示す概略縦断面図である。
図１に示す読取装置１２０は、自動原稿搬送機構を搭載した読取装置である。読取装置１２０は、原稿１０２を積載する原稿トレイ１０１、原稿読み取りユニット１０６、排紙トレイ１０８を有する。
読取装置１２０は、また、後述する原稿搬送モータ１０５により駆動され、原稿トレイ１０１上に載置された原稿１０２を給紙する原稿ピックローラ１２１、原稿分離ローラ１２２、原稿搬送ローラ１２３、原稿オフセットローラ１２４を有する。なお、原稿搬送モータ１０５は、原稿１０２を搬送する搬送手段として機能する。
【００１２】
原稿読み取りユニット１０６は、原稿読み取りガラス１１９を介した原稿読み取り位置１０７を通過する原稿１０２の原稿画像（画像情報）を読み取る。このように、原稿読み取りユニット１０６は、読取手段として機能する。なお、原稿読み取りユニット１０６による画像情報の読み取りが終了した後、原稿１０２は排紙トレイ１０８に排出される。
【００１３】
原稿読み取りユニット１０６は、また、原稿読み取り位置１０７においてＬＥＤ（Light Emitting Diode）光源２０１（図２参照）の光を原稿１０２に向けて照射するための導光体２０２、ＣＩＳ（コンタクトイメージセンサ）２０３、レンズ２０４、を有する。
ＣＩＳ２０３は、レンズ２０４にて導かれた原稿１０２からの反射光を受光素子で光電変換して入射光量に応じた電気信号を出力する。このように、読取装置１２０は、原稿１０２を搬送させながら原稿読み取り位置１０７において原稿１０２を読み取るように構成される。
【００１４】
図２は、読取装置１２０の機能構成の一例を示すブロック図である。
読取装置１２０は、原稿読み取りユニット１０６、ＣＰＵ（Central Processing Unit）４０１、バックアップ用メモリ４０２、Ａ／Ｄ変換回路４０３、シェーディング補正回路４０４、計算用ＲＡＭ（Random Access Memory）４０５を含んで構成される。
ＣＰＵ４０１は、読取装置１２０が有する各構成機器を制御する。
例えばＣＰＵ４０１は、ＬＥＤ光源２０１、ＣＩＳ２０３、原稿搬送モータ１０５、ＣＩＳ＿ＨＰセンサ１０９、ＣＩＳ移動用モータ１１０、バックアップ用メモリ４０２を制御して原稿画像を読み取る。
【００１５】
Ａ／Ｄ変換回路４０３は、ＣＩＳ２０３が出力する原稿の濃度に応じた電気信号（アナログ電気信号）をデジタル画像信号に変換する。シェーディング補正回路４０４は、ＬＥＤ光源２０１の光量の不均一性の影響やＣＩＳ２０３の画素感度の影響を対象に補正を行い、補正後の画像信号を出力する。このように、シェーディング補正回路４０４は、補正手段として機能する。以下、この処理をシェーディング補正と称す。
ＣＩＳ移動用モータ１１０は、原稿読み取りユニット１０６を副走査方向（後述する図３（Ｂ）参照）に向けて移動する。このように、ＣＩＳ移動用モータ１１０は、移動手段として機能する。
【００１６】
バックアップ用メモリ４０２は、保持手段として機能する不揮発性のＲＡＭであり、シェーディング補正用の所定の基準原稿（白基準原稿）の読み取り値（以下、シェーディングデータと称す）を記憶する。バックアップ用メモリ４０２は、ＣＰＵ４０１を介して、シェーディング補正回路４０４との間でデータ送受信が出来るように構成される。計算用ＲＡＭ４０５は、バックアップ用メモリ４０２やシェーディング補正回路４０４からのデータを一時的に格納する。原稿読み取りユニット１０６は、ＬＥＤ光源２０１、ＣＩＳ２０３を含んで構成され、原稿を読み取る読取手段として機能する。詳細は後述する。
【００１７】
次に、シェーディング補正回路４０４を介して行われるシェーディング補正の詳細について説明する。
シェーディング補正では、ＬＥＤ光源２０１の光量の不均一性の影響やＣＩＳ２０３の画素毎の感度ばらつきの影響に対する補正を下記式（１）に基づいて行う。
【００１８】
シェーディング補正出力（ｎ）＝原稿読み取り値（ｎ）／シェーディングデータ（ｎ）×読み取り目標値・・・式（１）
【００１９】
なお、式（１）中のｎは、ｎ＝ＣＩＳ２０３画素位置である。また、読み取り目標値は、白基準原稿を読み取ったときの読み取り値の目標値を設定する。また、シェーディングデータは、白基準原稿を読み取った時のデータである。
【００２０】
シェーディング補正では、シェーディングデータを取得した際のデータをバックアップ用メモリ４０２に記憶する。また、ＣＰＵ４０１を介して、原稿を読み取る際にバックアップ用メモリ４０２からのデータを読み出してシェーディング補正回路４０４に設定される。
また、シェーディング補正回路４０４は、シェーディング補正を行わずに原稿の読み取りデータをそのままＣＰＵ４０１へ転送するスルー転送モードを有する。なお、シェーディング補正を行うモードとスルー転送モードとの切り替えはＣＰＵ４０１が指示する。また、シェーディング補正回路４０４がスルー転送モードの状態でシェーディングデータの取得が行われるように制御される。
【００２１】
図３は、原稿を使用しシェーディングデータを取得する際の原稿読み取りユニット動作を説明するための図である。
原稿トレイ１０１上に載置された原稿１０２が原稿搬送モータ１０５を介して給紙され、当該原稿１０２は、原稿読み取りユニット１０６の原稿読み取りガラス１１９を介した位置にある原稿読み取り位置１０７（図１参照）を通過する。ここまでの流れは図３（ａ）、（ｂ）共に同じである。
【００２２】
図３（ａ）に示す構成では、原稿読み取りユニット１０６と原稿読み取りガラス１１９の相対的位置が固定されており、原稿読み取り位置１０７において原稿１０２の画像情報を読み取り、その画像情報に基づいてシェーディングデータを取得する（図３（ａ）上段参照）。
この場合、原稿読み取りガラス１１９の原稿読み取り位置１０７にゴミが付着している状態でシェーディングデータを取得することになる（図３（ａ）中段参照）。その結果、原稿読み取りガラス１１９に対するシェーディング領域が同一カ所であるため、ゴミの影響により正常なシェーディングデータを取得することができない（図３（ａ）下段参照）。
【００２３】
一方、図３（ｂ）に示す構成では、原稿読み取りユニット１０６が原稿読み取りガラス１１９に対して相対的に副走査方向に移動しながら原稿１０２の画像情報を読み取ることができる（図３（ｂ）上段参照）。原稿読み取りユニット１０６が移動可能な副走査方向の領域を、シェーディング領域と称す。
本実施形態に係る読取装置１２０は、図３（ｂ）に示すように、原稿読み取りユニット１０６がＣＩＳ移動用モータ１１０（図２参照）を介して副走査方向に移動することが可能に構成される（図３（ｂ）中段参照）。そのため、図３（ａ）に示す構成と比べて、原稿読み取りガラス１１９に対するシェーディング領域を相対的に広く取ることができる。
そのため、シェーディングデータを取得する際に、原稿読み取りガラス１１９に付着したゴミ等の影響を受けにくくなる。シェーディング領域の画像データを平均化し、平均化後の画像データをシェーディング補正のためのシェーディングデータとすることで、より正確なシェーディングデータを取得することが可能になる（図３（ｂ）下段参照）。
なお、原稿読み取りユニット１０６は、ＣＩＳ移動用モータ１１０を介して副走査方向の上流側（原稿の搬送方向の逆方向）、下流側（原稿の搬送方向）いずれの方向にも移動可能に構成することができる。
【００２４】
また、原稿読み取りユニット１０６の移動量は、ＣＰＵ４０１により制御される。
例えば、ＣＩＳ＿ＨＰセンサ１０９を介して検出されたＨＰ（ホームポジション）位置を基準にして、バックアップ用メモリ４０２に記憶された任意の値（相対的移動量）を読み出してＣＰＵ４０１がＣＩＳ移動用モータ１１０の駆動開始、又はその停止を制御する。
【００２５】
図４は、シェーディングデータを取得する際の処理手順の一例を示すフローチャートである。なお、図４に示す各処理は、主としてＣＰＵ４０１により行われる。
ＣＰＵ４０１は、原稿の読み取り開始信号を検出したことを契機に（Ｓ６０１）、シェーディングデータを取得するか否かを判断する（Ｓ６０３）。  
シェーディングデータを取得する場合（Ｓ６０３：Ｙｅｓ）、ＣＰＵ４０１は、原稿搬送モータ１０５を駆動して原稿トレイ１０１に載置された原稿１０２の搬送を開始する（Ｓ６０４）。
【００２６】
ＣＰＵ４０１は、シェーディング補正回路４０４をスルー転送モードにし、ＬＥＤ光源２０１、ＣＩＳ２０３を駆動して原稿の読み取りを開始する（Ｓ６０５）。
ＣＰＵ４０１は、原稿がシェーディングデータの取得開始位置（読取開始位置）に到達したか否かを判断する（Ｓ６０６）。原稿が読取開始位置に到達した場合（Ｓ６０６：Ｙｅｓ）、ＣＰＵ４０１は、ＣＩＳ移動用モータ１１０を駆動して、原稿搬送方向に対して上流側に向けて原稿読み取りユニット１０６の移動を開始する（Ｓ６０７）。
【００２７】
ＣＰＵ４０１は、スルー転送モードのシェーディング補正回路４０４から転送された原稿読み取りデータをシェーディングデータとして、計算用ＲＡＭ４０５への格納を開始する（Ｓ６０８）。
ＣＰＵ４０１は、原稿読み取りユニット１０６が所定の移動量だけ移動したか否かを判断する（Ｓ６０９）。この場合の移動量は、上記シェーディング領域の範囲となる。
原稿読み取りユニット１０６が所定の移動量だけ移動したと判断した場合（Ｓ６０９：Ｙｅｓ）、ＣＰＵ４０１は、シェーディングデータの計算用ＲＡＭ４０５への格納を終了する（Ｓ６１０）。その後、ＣＩＳ移動用モータを停止させる（Ｓ６１１）。
【００２８】
ＣＰＵ４０１は、原稿の搬送が完了したか否かを判断する（Ｓ６１２）。完了したと判断した場合（Ｓ６１２：Ｙｅｓ）、ＣＰＵ４０１は、計算用一時ＲＡＭに格納されているシェーディングデータをバックアップ用メモリ４０２へ格納する（Ｓ６１３）。
【００２９】
また、ＣＰＵ４０１は、シェーディングデータを取得しない場合（Ｓ６０３：Ｎｏ）、通常の原稿の読み取りを行い（Ｓ６１５）、その後次の原稿があるか否かを判断する（Ｓ６１６）。次の原稿がある場合（Ｓ６１６：Ｙｅｓ）、読み取り処理を継続する。
【００３０】
このように、本実施形態に係る読取装置１２０では、原稿読み取りユニット１０６を副走査方向に移動させながらシェーディングデータを取得することにより、読取ガラスなどに付着するゴミの影響を低減したより正確なシェーディングデータを取得することができる。
【００３１】
［第２実施形態］
本実施形態では、原稿の複数箇所それぞれにおいてシェーディングデータを取得するように構成された読取装置について説明する。なお、第１実施形態において既に説明した機能構成と同じものは、同一の符号を付すとともにその説明を省略する。
【００３２】
図５は、本実施形態に係る読取装置の原稿読み取りユニットの動作を説明するための図である。
原稿トレイ１０１上に載置された原稿１０２が原稿搬送モータ１０５を介して給紙され、当該原稿１０２は、原稿読み取りユニット１０６の原稿読み取りガラス１１９を介した位置にある原稿読み取り位置１０７（図１参照）を通過する。
【００３３】
また、図５に示すように、原稿読み取りユニット１０６が原稿読み取りガラス１１９に対して相対的に副走査方向に移動しながら原稿１０２の画像情報を読み取ることができるように構成される（図５上段参照）。また、原稿読み取りユニット１０６は、図５中段に示すように、シェーディング領域１、シェーディング領域２、シェーディング領域３それぞれにおいて原稿１０２の画像情報を読み取る。つまり、シェーディング領域１〜３それぞれにおいてシェーディングデータを取得する。
【００３４】
このようにして取得された複数のシェーディングデータの中から、ゴミ等の影響を受けていないより正確なシェーディングデータを特定（選択）してシェーディング補正に使用することができる（図５下段のシェーディング領域１〜３参照）。
なお、原稿読み取りユニット１０６は、ＣＩＳ移動用モータ１１０を介して副走査方向の上流側、下流側いずれの方向にも移動可能に構成することができる。
【００３５】
また、原稿読み取りユニット１０６の移動量は、ＣＰＵ４０１により制御される。
例えば、ＣＩＳ＿ＨＰセンサ１０９を介して検出されたＨＰ（ホームポジション）位置を基準にして、バックアップ用メモリ４０２に記憶された任意の値（相対的移動量）を読み出してＣＰＵ４０１がＣＩＳ移動用モータ１１０の駆動開始、又はその停止を制御する。
【００３６】
図６は、原稿の複数箇所それぞれにおいてシェーディングデータを取得する際の処理手順の一例を示すフローチャートである。なお、図４に示す各処理は、主としてＣＰＵ４０１により行われる。
ＣＰＵ４０１は、原稿の読み取り開始信号を検出したことを契機に（Ｓ６２１）、シェーディングデータを取得するか否かを判断する（Ｓ６２３）。  
シェーディングデータを取得する場合（Ｓ６２３：Ｙｅｓ）、ＣＰＵ４０１は、原稿搬送モータ１０５を駆動して原稿トレイ１０１に載置された原稿１０２の搬送を開始する（Ｓ６２４）。
【００３７】
ＣＰＵ４０１は、シェーディング補正回路４０４をスルー転送モードにし、ＬＥＤ光源２０１、ＣＩＳ２０３を駆動して原稿の読み取りを開始する（Ｓ６２５）。
ＣＰＵ４０１は、原稿がシェーディングデータの取得開始位置（読取開始位置）に到達したか否かを判断する（Ｓ６２６）。原稿が読取開始位置に到達した場合（Ｓ６２６：Ｙｅｓ）、ＣＰＵ４０１は、ＣＩＳ移動用モータ１１０を駆動して、原稿搬送方向に対して上流側に向けて原稿読み取りユニット１０６の移動を開始する（Ｓ６２７）。
【００３８】
ＣＰＵ４０１は、スルー転送モードのシェーディング補正回路４０４から転送された原稿読み取りデータをシェーディングデータｎ（ｎは自然数）として、計算用ＲＡＭ４０５への格納を開始する（Ｓ６２８）。
ＣＰＵ４０１は、原稿読み取りユニット１０６が所定の移動量だけ移動したか否かを判断する（Ｓ６２９）。この場合の移動量は、上記複数のシェーディング領域の範囲となる。
原稿読み取りユニット１０６が所定の移動量だけ移動したと判断した場合（Ｓ６２９：Ｙｅｓ）、ＣＰＵ４０１は、シェーディングデータの計算用ＲＡＭ４０５への格納を終了する（Ｓ６３０）。
【００３９】
ＣＰＵ４０１は、所定のシェーディング取得回数に至ったか否かを判断する（Ｓ６４０）。所定のシェーディング取得回数は、例えば上記シェーディング領域１〜３であればシェーディング取得回数は３になる。また、この場合にはシェーディングデータｎはシェーディングデータ１、シェーディングデータ２、シェーディングデータ３としてそれぞれ記憶される。
【００４０】
所定のシェーディング取得回数に至ったと判断した場合（Ｓ６４０：Ｙｅｓ）、ＣＰＵ４０１は、ＣＩＳ移動用モータ１１０を停止させる（Ｓ６３１）。また、そうでない場合（Ｓ６４０：Ｎｏ）、ステップＳ６２７の処理に戻る。この場合、再びスルー転送モードのシェーディング補正回路４０４から転送された原稿読み取りデータをシェーディングデータｎ＋１（ｎは自然数）として、計算用ＲＡＭ４０５への格納が開始される。
【００４１】
ＣＰＵ４０１は、原稿の搬送が完了したか否かを判断する（Ｓ６３２）。完了したと判断した場合（Ｓ６３２：Ｙｅｓ）、ＣＰＵ４０１は、計算用一時ＲＡＭに格納されている複数のシェーディングデータをバックアップ用メモリ４０２へ格納する（Ｓ６３３）。
【００４２】
また、ＣＰＵ４０１は、シェーディングデータを取得しないと判断した場合（Ｓ６２３：Ｎｏ）、通常の原稿の読み取りを行い（Ｓ６３５）、その後次の原稿があるか否かを判断する（Ｓ６３６）。次の原稿がある場合（Ｓ６３６：Ｙｅｓ）、読み取り処理を継続する。
【００４３】
このように、本実施形態に係る読取装置では、原稿読み取りユニット１０６を副走査方向に移動させながら原稿の複数箇所においてシェーディングデータを取得する。これにより、複数のシェーディングデータの中からゴミ等の影響を受けていないより正確なシェーディングデータを特定してシェーディング補正に使用することができる
【００４４】
［第１変形例］
図７は、読取装置１２０が有する原稿読み取りユニット１０６を図１とは異なる箇所に配置した場合の一例を示す概略縦断面図である。図７に示す読取装置１２０のように原稿読み取りユニット１０６を配置すれば、冊子の各ページを読み取る場合（ブックスキャン）の読み取りが容易に行える。なお、図１に示す原稿読み取りガラス１１９に対応するものが、図７に示す原稿読み取りガラス１１９´である。また、原稿読み取りユニット１０６は読取装置１２０の上部筐体の中ではなく下部筐体１５０の中に配備される。
【００４５】
［第２変形例］
図８は、２つの原稿読み取りユニット１０６、１０６´が読取装置１２０の上部筐体の中と下部筐体１５０の中にそれぞれ配備された読取装置の一例を示す概略縦断面図である。
図８に示すように、搬送される原稿を基準に対向して原稿読み取りユニット１０６、１０６´を配備し、原稿読み取りユニット１０６を第１の読取手段とし、原稿読み取りユニット１０６´を第２の読取手段として読取装置１２０を構成することもできる。
なお、原稿読み取りユニット１０６と原稿読み取りユニット１０６´は配置位置が異なるだけで機能は同じものである。また、原稿読み取りユニット１０６が有する構成と同じ機能を有する原稿読み取りユニット１０６´の構成は、「´」を付した同一の番号を付している。
【００４６】
図９は、図８に示す読取装置１２０の機能構成の一例を示すブロック図である。図２に示す読取装置１２０の機能構成の一例を示すブロック図との違いは、原稿読み取りユニット１０６´を有する他、ＣＩＳ＿ＨＰセンサ１０９´、ＣＩＳ移動用モータ１１０´、Ａ／Ｄ変換回路４０３´、シェーディング補正回路４０４´を有する点である。また、原稿読み取りユニット１０６´は、ＬＥＤ光源２０１´、ＣＩＳ２０３´を含んで構成される。
【００４７】
上記説明した実施形態は、本発明をより具体的に説明するためのものであり、本発明の範囲が、これらの例に限定されるものではない。
【符号の説明】
【００４８】
１０１・・・原稿トレイ、１０２・・・原稿、１０５・・・原稿搬送モータ、１０６、１０６´・・・原稿読み取りユニット、１０７・・・原稿読み取り位置、１０８・・・排紙トレイ、１０９、１０９´・・・ＣＩＳ＿ＨＰセンサ、１１０、１１０´・・・ＣＩＳ移動用モータ、１１９・・・原稿読み取りガラス、１２０・・・読取装置、１２１・・・原稿ピックローラ、１２２・・・原稿分離ローラ、１２３・・・原稿搬送ローラ、１２４・・・原稿オフセットローラ、１５０・・・下部筐体、２０１、２０１´・・・ＬＥＤ光源、２０２・・・導光体、２０３、２０３´・・・ＣＩＳ、２０４・・・レンズ、４０１・・・ＣＰＵ、４０２・・・バックアップ用メモリ、４０３、４０３´・・・Ａ／Ｄ変換回路、４０４、４０４´・・・シェーディング補正回路、４０５・・・計算用ＲＡＭ。
【図１】
2017183962.tif 000003
【図２】
2017183962.tif 000004
【図３】
2017183962.tif 000005
【図４】
2017183962.tif 000006
【図５】
2017183962.tif 000007
【図６】
2017183962.tif 000008
【図７】
2017183962.tif 000009
【図８】
2017183962.tif 000010
【図９】
2017183962.tif 000011